(57)【特許請求の範囲】
【請求項１】
吸気口と排気口を有する本体ケースと、この本体ケース内に設けた空気清浄手段と、前記吸気口から室内の空気を前記空気清浄手段を介して前記本体ケース内に吸気し、前記排気口より室内に排気する風路に送風手段を備え、前記吸気口は前記本体ケースの少なくとも１側面に設けた第１の吸気口と、前記本体ケースの前面下部に設けた第２の吸気口とから形成し、前記本体ケースの前面に前面化粧板を設け、この前面化粧板を上下前後動させる駆動手段を備え、前記第１の吸気口および前記第２の吸気口の開口面積を可変する構成とし、前記第１の吸気口および前記第２の吸気口の風路風下側で、前記前面化粧板に対向する位置に前記空気清浄手段を設け、前記空気清浄手段の風路風下側に加湿手段を備え、前記空気清浄手段の上端部が前記空気清浄手段の下端部より前記本体ケース内部方向に入り込むように傾斜した構成とし、前記前面化粧板と前記空気清浄手段との水平距離は、前面化粧板が前記駆動手段により最上点に位置する場合は、前面化粧板が前記駆動手段により中間点に位置する場合より小さいことし、前記加湿手段の上部には前記空気清浄手段と送風手段をつなぐバイパス風路を設けたことを特徴とする加湿機能付空気清浄装置。
【請求項２】
加湿手段は一定量の水が溜まった水槽と、この水槽の水に周縁部の一部が常に浸漬した円板状の加湿フィルター部と、この加湿フィルター部を固定し外周部に給水部を備えた加湿フィルター枠部とこの加湿フィルター枠部を回転させる回転手段とから形成された請求項１記載の加湿機能付空気清浄装置。
【請求項３】
加湿手段は前記空気清浄手段の風路風下側の下部に備えた請求項１または２記載の加湿機能付空気清浄装置。
【請求項４】
送風手段はケーシングと、このケーシング内に配設された電動機と、この電動機の回転軸に固定された羽根とにより形成され、前記加湿手段である前記加湿フィルター部に対向した位置に前記ケーシングの吸込口を設けた請求項２または３記載の加湿機能付空気清浄装置。
【請求項５】
送風手段の前記吸込口の周縁部の下部は前記加湿手段である前記水槽の上端部より高い位置に構成した請求項２〜４のいずれかに記載の加湿機能付空気清浄装置。
【請求項６】
前面化粧板が前記駆動手段により最下点に位置する場合に、前面化粧板を前記空気清浄手段の風路風上側面とほぼ平行に設け、前記前面化粧板が前記駆動手段により中間点に位置する場合に、前記前面化粧板と前記空気清浄手段との水平距離は、前記空気清浄手段の下部より上部の方が長い構成とした請求項２〜５のいずれかに記載の加湿機能付空気清浄装置。
【発明の詳細な説明】
【技術分野】
【０００１】
本発明は、空気を浄化することのできる空気清浄装置と、空気を浄化しながら加湿することのできる加湿機能付空気清浄装置に関する。
【背景技術】
【０００２】
従来のこの種の加湿機能付空気清浄装置の構成は以下のようになっていた。
【０００３】
すなわち、吸気口と排気口を有する本体ケースと、この本体ケース内に設けた空気清浄手段と、前記吸気口から室内の空気を前記空気清浄手段を介して前記本体ケース内に吸気し、前記排気口より室内に排気する風路に送風手段を備えた構成となっていた。
【０００４】
例えば、これに類似する先行文献は下記特許文献１に記載されている。
【先行技術文献】
【特許文献】
【０００５】
【特許文献１】特開２００８−２５８９８号公報
【発明の概要】
【発明が解決しようとする課題】
【０００６】
上記従来例における課題は、加湿清浄空気の風量が少なく、加湿能力が低いということであった。
【０００７】
すなわち、従来の物においては、送風手段によって吸気口から吸込まれた室内空気を、空気清浄手段および加湿手段を介し、排気口より室内に送風される。このように、加湿および空気清浄処理された加湿清浄空気が供給されるが、加湿手段は円筒形状の加湿フィルターで構成されているので、加湿手段の送風された空気は、まず加湿フィルターの外側から円筒形状の加湿フィルター内部に流れ、次に円筒形状の加湿フィルター内部から加湿フィルターの外側へ流れる。つまり、加湿フィルターを２回通過するので加湿手段での通風抵抗が大きくなる。
【０００８】
また、加湿手段の上部に吸気口、送風手段、および排気口が位置するので、加湿手段の上部から送風された空気を円筒形状の加湿フィルター内部で方向転換し、円筒形状の加湿フィルター内部から上部の排気口に送風される。すなわち、加湿手段で空気の流れを約１８０度方向転換することとなり、通風抵抗が大きくなる。
【０００９】
このように、通風抵抗が大きいので加湿清浄空気の風量が小さく、加湿能力が低くなる。
【００１０】
そこで本発明は、通風抵抗を小さくし加湿清浄空気の風量を多くすると共に、加湿能力の向上を目的とするものである。
【課題を解決するための手段】
【００１１】
そしてこの目的を達成するために本発明は、吸気口と排気口を有する本体ケースと、この本体ケース内に設けた空気清浄手段と、前記吸気口から室内の空気を前記空気清浄手段を介して前記本体ケース内に吸気し、前記排気口より室内に排気する風路に送風手段を備え、前記吸気口は前記本体ケースの少なくとも１側面に設けた第１の吸気口と、前記本体ケースの前面下部に設けた第２の吸気口とから形成し、前記本体ケースの前面に前面化粧
板を設け、この前面化粧板を上下前後動させる駆動手段を備え、前記第１の吸気口および前記第２の吸気口の開口面積を可変する構成とし、前記第１の吸気口および前記第２の吸気口の風路風下側で、前記前面化粧板に対向する位置に前記空気清浄手段を設け、前記空気清浄手段の風路風下側に加湿手段を備え、前記空気清浄手段の上端部が前記空気清浄手段の下端部より前記本体ケース内部方向に入り込むように傾斜した構成とし、前記前面化粧板と前記空気清浄手段との水平距離は、前面化粧板が前記駆動手段により最上点に位置する場合は、前面化粧板が前記駆動手段により中間点に位置する場合より小さいこととし、前記加湿手段の上部には前記空気清浄手段と送風手段をつなぐバイパス風路を設けた構成とした。
【００１２】
これにより、初期の目的を達成するものである。
【発明の効果】
【００１３】
以上のように本発明は、吸気口と排気口を有する本体ケースと、この本体ケース内に設けた空気清浄手段と、前記吸気口から室内の空気を前記空気清浄手段を介して前記本体ケース内に吸気し、前記排気口より室内に排気する風路に送風手段を備え、前記吸気口は前記本体ケースの少なくとも１側面に設けた第１の吸気口と、前記本体ケースの前面下部に設けた第２の吸気口とから形成し、前記本体ケースの前面に前面化粧板を設け、この前面化粧板を上下前後動させる駆動手段を備え、前記第１の吸気口および前記第２の吸気口の開口面積を可変する構成とし、前記第１の吸気口および前記第２の吸気口の風路風下側で、前記前面化粧板に対向する位置に前記空気清浄手段を設け、前記空気清浄手段の風路風下側に加湿手段を備え、前記空気清浄手段の上端部が前記空気清浄手段の下端部より前記本体ケース内部方向に入り込むように傾斜した構成とし、前記前面化粧板と前記空気清浄手段との水平距離は、前面化粧板が前記駆動手段により最上点に位置する場合は、前面化粧板が前記駆動手段により中間点に位置する場合より小さいこととし、前記加湿手段の上部には前記空気清浄手段と送風手段をつなぐバイパス風路を設けた構成としたものであり、加湿清浄空気の風量を多くすることができると共に、加湿能力の向上を目的とするものである。
【００１４】
すなわち、前記第１の吸気口および前記第２の吸気口の風路風下側で、前記前面化粧板に対向する位置に前記空気清浄手段を設け、前記空気清浄手段の風路風下側に加湿手段を備え、前記空気清浄手段の上端部が前記空気清浄手段の下端部より前記本体ケース内部方向に入り込むように傾斜し、前記前面化粧板と前記空気清浄手段との水平距離は、前面化粧板が前記駆動手段により最上点に位置する場合は、前面化粧板が前記駆動手段により中間点に位置する場合より小さいこととし、前記加湿手段の上部には前記空気清浄手段と送風手段をつなぐバイパス風路を設けた構成としたものである。
【００１５】
つまり、上下前後動する前記前面化粧板が、最上点に位置する場合に、前記前面化粧板と前記空気清浄手段との水平距離は、前面化粧板が前記駆動手段により中間点に位置する場合より小さいこととし、前記加湿手段の上部には前記空気清浄手段と送風手段をつなぐバイパス風路を設けた構成とした。このため、前記本体ケースの前面下部に設けた前記第２の吸気口が全開となり、この前記第２の吸気口から吸い込まれた室内空気は前記空気清浄手段を通過し、加湿手段である加湿フィルター部に流れる。一方、前記本体ケースの少なくとも１側面に設けた前記第１の吸気口から吸い込まれた室内空気は、前記空気清浄手段に流れ込む。ここで、前記空気清浄手段の上端部が前記空気清浄手段の下端部より前記本体ケース内部方向に入り込むように傾斜しているので、特に前記空気清浄手段の上部と前記前面化粧板との間に空間ができ、この空間により前記第１の吸気口から吸い込まれた室内空気が、前記空気清浄手段の上部に均一に流れ易くできる。
【００１６】
これらの結果により、加湿清浄空気の風量を多くすることができると共に、加湿能力を向上することができるものである。
【図面の簡単な説明】
【００１７】
【図１】本発明の実施の形態１の加湿機能付空気清浄装置の斜視図
【図２】本発明の実施の形態１の前面化粧板が中間位置である加湿機能付空気清浄装置の断面を示す図
【図３】本発明の実施の形態１の前面化粧板が最上位置である加湿機能付空気清浄装置の断面を示す図
【図４】本発明の実施の形態１の前面化粧板が最下位置である加湿機能付空気清浄装置の断面を示す図
【発明を実施するための形態】
【００１８】
以下、本実施形態を添付図面を用いて説明する。
【００１９】
（実施の形態１）
図１〜図４に示すように、本実施形態の加湿機能付空気清浄装置は、吸気口１と排気口２を有する本体ケース３と、この本体ケース３内に設けた空気清浄手段と、この空気清浄手段の下流側に加湿手段とを備えている。
【００２０】
吸気口１は本体ケース３の両側面に設けた第１の吸気口１ａと、本体ケース３の前面下部に設けた第２の吸気口１ｂとから形成され、排気口２は本体ケース３の天面に設けている。吸気口１である第１の吸気口１ａおよび第２の吸気口１ｂの開口面積は、本体ケース３の前面に所定の距離を有し設けた略縦長四角平板形状の前面化粧板４を上下前後に移動させることにより変化させるものである。つまり、前面化粧板４と本体ケース３との水平距離を変えることにより、本体ケース３の両側面に設けた第１の吸気口１ａの開口面積を変化させ、前面化粧板４を上下に移動させることにより、本体ケース３の前面下部に設けた第２の吸気口１ｂの開口面積を変化させるものである。このように、前面化粧板４を本体ケース３に対して水平方向および上下方向に移動させるために複数の駆動手段６を設けている。
【００２１】
空気清浄手段は縦長箱形状の空気清浄フィルター７で、濾材が蛇腹形状に折られたものであり、第１の吸気口１ａおよび第２の吸気口１ｂの風路風下側で、前面化粧板４に対向する位置に設けている。
【００２２】
加湿手段は、空気清浄手段の風路風下側に設けており、一定量の水が溜まった略椀形状の水槽８と、この水槽８の水に周縁部の一部が常に浸漬した円板状の加湿フィルター部９と、この加湿フィルター部９を固定し外周部に給水部１０を備えた略円環形状の加湿フィルター枠部１１と、この加湿フィルター枠部１１を回転させる回転手段とから形成されている。
【００２３】
また、加湿フィルター部９の略上部には、空気清浄手段と送風手段１２とを繋ぐバイパス風路１３を備えている。これにより、加湿手段の下流側に設けた送風手段１２によって、第１の吸気口１ａおよび第２の吸気口１ｂから空気清浄手段を介して本体ケース３内に吸気した室内の空気は、加湿手段を介し排気口２より室内に排気するか、または、空気清浄手段と送風手段１２とを繋ぐバイパス風路１３を介して排気口２より室内に排気するものである。
【００２４】
このような構成における空気清浄および、加湿動作について説明する。
【００２５】
水タンク５より水槽８に常時一定の水位となるように水が供給される。この水に加湿手段の加湿フィルター枠部１１である給水部１０と加湿フィルター部９の一部が常時浸かった状態となる。ここで回転手段である電動機１４によって加湿フィルター枠部１１を回転させることで、水を汲んだ給水部１０と加湿フィルター部９が回転し、給水部１０によって汲み上げられた水が頂上付近で滴り落ち、加湿フィルター部９を湿らせる。つまり電動機１４により加湿フィルター枠部１１を回転させ続けることで加湿フィルター部９は常時水を保持した状態に保たれる。
【００２６】
ここで、送風手段１２を動かすことにより、第１の吸気口１ａおよび第２の吸気口１ｂから本体ケース３内に空気が吸い込まれ、その後空気は本体ケース３内に備えられた空気清浄フィルター７と水を保持した状態の加湿フィルター部９とを通過し加湿清浄空気となり、排気口２から室内に排出される。
【００２７】
また、空気清浄手段と送風手段１２とを繋ぐバイパス風路１３を加湿フィルター部９の略上部に設けたので、主に第１の吸気口１ａから吸気された空気は空気清浄手段を介し、加湿フィルター部９を通過し送風手段１２に吸い込まれる空気と、バイパス風路１３を通過し送風手段１２により吸い込まれる空気との２経路の空気が送風手段１２により排気口２から室内に排気される。
【００２８】
本実施の形態における特徴は、前面化粧板４と、空気清浄手段と、加湿手段との構成にある。具体的には、空気清浄手段が、前面化粧板４と加湿手段との間の風路に位置し、空気清浄手段の上端部が空気清浄手段の下端部より本体ケース３内部方向に入り込むように傾斜したものである。
【００２９】
すなわち、第１の吸気口１ａおよび第２の吸気口１ｂの風路風下側で、前面化粧板４に対向する位置に空気清浄手段を設け、空気清浄手段の風路風下側に加湿手段を備え、空気清浄手段の上端部が空気清浄手段の下端部より本体ケース３内部方向に入り込むように傾斜したものである。
【００３０】
つまり、図３に示すように、上下前後動する前面化粧板４が、最上点に位置する場合に、空気清浄手段の下部では、本体ケース３の前面下部に設けた第２の吸気口１ｂが全開となり、この第２の吸気口１ｂから吸い込まれた室内空気は空気清浄手段を通過し、加湿手段である加湿フィルター部９に流れる。一方、空気清浄手段の上部では、本体ケース３の少なくとも１側面に設けた第１の吸気口１ａから吸い込まれた室内空気が、空気清浄手段に流れ込む。ここで、空気清浄手段の上端部が空気清浄手段の下端部より本体ケース３内部方向に入り込むように傾斜しているので、空気清浄手段の下部と前面化粧板４との間の空間より大きな空間が、空気清浄手段の上部と前面化粧板４との間にでき、この空間により第１の吸気口１ａから吸い込まれた室内空気が、空気清浄手段の上部に均一に流れ易くできる。
【００３１】
これらの結果により、加湿清浄空気の風量を多くすることができると共に、加湿能力を向上することができるものである。
【００３２】
また、加湿手段は一定量の水が溜まった水槽８と、この水槽８の水に周縁部の一部が常に浸漬した円板状の加湿フィルター部９と、この加湿フィルター部９を固定し外周部に給水部１０を備えた加湿フィルター枠部１１と、この加湿フィルター枠部１１を回転させる回転手段とから形成されたものである。
【００３３】
具体的には、水槽８は、天面が開口した略横長箱形状で、水槽８の長手辺部の側壁部の上端である長手側壁上端部より上方に伸びた軸受け部を備えている。この水槽８に一定量の水が水タンク５より供給される。加湿フィルター部９は円板形状であり、この加湿フィルター部９を略円環形状の加湿フィルター枠部１１によって固定されている。この加湿フィルター枠部１１は外周部に給水部１０を備え、中央部に回転軸部を備えている。この回転軸部を水槽８の長手辺部の側壁部の上端である長手側壁上端部より上方に伸びた軸受け部に装着することにより、加湿フィルター枠部１１の給水部１０、および加湿フィルター部９周縁部の一部が、水槽８の水に常に浸漬すると共に、回転自在に設けられるものである。この回転自在に設けた加湿フィルター枠部１１および加湿フィルター部９を回転手段である電動機１４によって回転させるものである。
【００３４】
すなわち、ここで、空気清浄手段の上端部が空気清浄手段の下端部より本体ケース３内部方向に入り込むように傾斜しているので、加湿手段と空気清浄手段との間、特に加湿手段の下部に位置する水槽８と空気清浄手段との間に空間ができ、空気清浄手段の下部である加湿手段の水槽８に対向した位置から吸い込まれた空気が、加湿手段である加湿フィルター部９に流れる込み易くできる。
【００３５】
また、加湿手段は、空気清浄手段の風路風下側の下部に備えたものである。具体的には、前面化粧板４に対向する位置に空気清浄手段を設け、空気清浄手段の風路風下側に加湿手段を備えている。ここで、空気清浄手段は縦長箱形状の空気清浄フィルター７で、濾材が蛇腹形状に折られたものであり、この空気清浄フィルター７の下端面と、加湿手段である天面が開口した略横長箱形状の水槽８底面との高さが、ほぼ同じ高さに位置するものである。
【００３６】
すなわち、空気清浄フィルター７の下端面と、水槽８底面との高さが、ほぼ同じ高さに位置し、空気清浄手段の上端部が空気清浄手段の下端部より本体ケース３内部方向に入り込むように傾斜しているので、加湿手段と空気清浄手段との間、特に加湿手段の下部に位置する水槽８と空気清浄手段との間に空間が更に大きくなり、空気清浄手段の下部である加湿手段の水槽８に対向した位置から吸い込まれた空気が、加湿手段である加湿フィルター部９に更に流れる込み易くできる。
【００３７】
また、送風手段１２はケーシング１５と、このケーシング１５内に配設されたモータ１６と、このモータ１６の回転軸に固定された羽根１７とにより形成され、加湿手段である加湿フィルター部９に対向した位置にケーシング１５の吸込口１８を設けたものである。具体的には、送風手段１２はケーシング１５と、ケーシング１５内に配設されたモータ１６と、このモータ１６の回転軸に固定された羽根１７とにより形成されている。この羽根１７に対向した位置に円形の孔である吸込口１８を備えている。この吸込口１８が、加湿手段である加湿フィルター部９に対向した位置に構成したものである。
【００３８】
すなわち、送風手段１２を動かすことにより、まず、第１の吸気口１ａおよび第２の吸気口１ｂから本体ケース３内に空気が吸い込まれ、この空気は本体ケース３内に備えられた空気清浄フィルター７の下部を通過する。そして、空気清浄フィルター７と加湿手段の水槽８との間を、水槽８の長手辺部の空気清浄フィルター７側である一方の側壁部に沿うように加湿フィルター部９の方向、つまり上方向に流れる。次に、加湿手段の水槽８側壁部の上部で風向を上方向から略水平方向に変化させ、加湿手段である加湿フィルター部９を通過し、加湿フィルター部９に対向した送風手段１２の吸込口１８に流れるものである。ここで、送風手段１２の吸込口１８は加湿フィルター部９に対向した位置にあるので、加湿手段である加湿フィルター部９を通過した空気は、大きく風向を変化させることなく送風手段１２の吸込口１８に流れるので、風路圧損を低減することができる。
【００３９】
また、送風手段１２の吸込口１８の周縁部の下部は加湿手段である水槽８の上端部より高い位置に構成したものである。具体的には、送風手段１２の円形の孔である吸込口１８が、加湿手段である加湿フィルター部９に対向すると共に、円形の孔である吸込口１８の周縁部の下部が、水槽８の長手辺部の空気清浄フィルター７側である一方の側壁部の上端部より高い位置にある。
【００４０】
すなわち、送風手段１２を動かすことにより、まず、第２の吸気口１ｂから本体ケース３内に空気が吸い込まれ、この空気は本体ケース３内に備えられた空気清浄フィルター７の下部を通過する。そして、空気清浄フィルター７と加湿手段の水槽８との間を、水槽８の長手辺部の空気清浄フィルター７側である一方の側壁部に沿うように加湿フィルター部９の方向、つまり上方向に流れる。次に、加湿手段の水槽８側壁部の上部で風向を上方向から略水平方向に変化させ、加湿手段である加湿フィルター部９を通過し、加湿フィルター部９に対向した送風手段１２の吸込口１８に流れるものである。ここで、送風手段１２の吸込口１８は加湿フィルター部９に対向した位置にあると共に、吸込口１８の周縁部の下部は水槽８の上端部より高い位置にあるので、加湿手段である加湿フィルター部９を通過した空気は、水槽８の長手辺部の送風手段１２側である一方の側壁部に当たることが低減され、送風手段１２の吸込口１８に流れるので、風路圧損を低減することができる。
【００４１】
また、図４に示すように、前面化粧板４が駆動手段６により最下点に位置する場合に、前面化粧板４を空気清浄手段の風路風上側面とほぼ平行に設け、図２に示すように、前面化粧板４が駆動手段６により中間点に位置する場合に、前面化粧板４と空気清浄手段との水平距離は、空気清浄手段の下部より上部の方が長い構成としたものである。具体的には、図４に示すように、前面化粧板４が駆動手段６により最下点に位置する場合には、前面化粧板４は空気清浄手段の風路風上側面とほぼ平行になる。つまり本体ケース３の両側面部と、略縦長四角平板形状の前面化粧板４とから形成される第１の吸気口１ａの形状が略縦長四角形状となり、この第１の吸気口１ａの水平方向の距離は、空気清浄手段の下部から上部までがほぼ同一となるものである。さて、ここで、図２に示すように、駆動手段６により前面化粧板４が最下点から中間点に移動した場合には、前面化粧板４と空気清浄手段との水平距離は、空気清浄手段の下部より上部の方が長くなる。つまり本体ケース３の両側面部と、略縦長四角平板形状の前面化粧板４とから形成される第１の吸気口１ａの形状が略台形形状となり、空気清浄手段の下部より上部なるほど、第１の吸気口１ａの水平方向の距離が長くなるものである。
【００４２】
すなわち、前面化粧板４が駆動手段６により最下点から中間点に移動した場合に、前面化粧板４と空気清浄手段との水平距離は、空気清浄手段の下部より上部の方が長くなるので、空気清浄手段の上部での第１の吸気口１ａの開口面積が増加すると共に、空気清浄手段の上部での前面化粧板４との間の空間が広がり、この空間により第１の吸気口１ａから吸い込まれた室内空気が、空気清浄手段の上部に均一に流れ易くできる。
【００４３】
また、前面化粧板４を上下前後動させる駆動手段６は、軸部と、この軸部の一端を中心に他端が上下に回動するように軸部の一端側に設けた回動手段とから形成し、軸部の他端側に前面化粧板４を設け、駆動手段６は前面化粧板４の上部と下部に各２箇所設け、この上部の駆動手段６の軸部の長さが、下部の駆動手段６の軸部の長さより長い構成としたものである。具体的には、本体ケース３内の前面側の４箇所の角部付近に４つの駆動手段６を設けたものである。これらの駆動手段６は、軸部と回動手段とから形成され、軸部の一端を中心に他端が上下に回動するように軸部の一端側に設けた回動手段を設けたものである。４つの駆動手段６うち、本体ケース３内の前面側である上部２箇所の角部付近に設けた２つの上部の駆動手段６の回転の中心となる軸部の一端が、同一回転軸上に位置し、同様に、本体ケース３内の前面側である下部２箇所の角部付近に設けた２つの下部の駆動手段６の回転の中心となる軸部の一端が、同一回転軸上に位置するものである。ここで、上部の駆動手段６である軸部の長さが、下部の駆動手段６である軸部の長さより長いものである。
【００４４】
すなわち、前面化粧板４が駆動手段６により最下点から中間点に移動する場合に、駆動手段である回動手段が、軸部の一端を中心に他端に固定された前面化粧板４を最下点から中間点に移動させる。つまり、軸部の一端を中心に軸部の他端が、本体ケース３から離れながら、上方へ移動する。ここで、上部の駆動手段６の軸部の長さが、下部の駆動手段６の軸部の長さより長いので、空気清浄手段の上部での水平方向の第１の吸気口１ａの開口寸法が増加すると共に、空気清浄手段の上部での前面化粧板４との間の空間が広がり、この空間により第１の吸気口１ａから吸い込まれた室内空気が、空気清浄手段の上部に均一に流れ易くできる。また、上部の駆動手段６および下部の駆動手段６の軸部の長さを変えるだけで、空気清浄手段の上部での水平方向の第１の吸気口１ａの開口寸法と、空気清浄手段の下部での水平方向の第１の吸気口１ａの開口寸法のバランスを容易に調整することが可能となる。
【産業上の利用可能性】
【００４５】
以上のように本発明は、吸気口と排気口を有する本体ケースと、この本体ケース内に設けた空気清浄手段と、前記吸気口から室内の空気を前記空気清浄手段を介して前記本体ケース内に吸気し、前記排気口より室内に排気する風路に送風手段を備え、前記吸気口は前記本体ケースの少なくとも１側面に設けた第１の吸気口と、前記本体ケースの前面下部に設けた第２の吸気口とから形成し、前記本体ケースの前面に前面化粧板を設け、この前面化粧板を上下前後動させる駆動手段を備え、前記第１の吸気口および前記第２の吸気口の開口面積を可変する構成とし、前記第１の吸気口および前記第２の吸気口の風路風下側で、前記前面化粧板に対向する位置に前記空気清浄手段を設け、前記空気清浄手段の風路風下側に加湿手段を備え、前記空気清浄手段の上端部が前記空気清浄手段の下端部より前記本体ケース内部方向に入り込むように傾斜した構成としたものであり、加湿清浄空気の風量を多くすることができると共に、加湿能力の向上を目的とするものである。
【００４６】
すなわち、第１の吸気口および第２の吸気口の風路風下側で、前面化粧板に対向する位置に空気清浄手段を設け、空気清浄手段の風路風下側に加湿手段を備え、空気清浄手段の上端部が空気清浄手段の下端部より本体ケース内部方向に入り込むように傾斜したものである。
【００４７】
つまり、上下前後動する前面化粧板が、最上点に位置する場合に、本体ケースの前面下部に設けた第２の吸気口が全開となり、この第２の吸気口から吸い込まれた室内空気は空気清浄手段を通過し、加湿手段である加湿フィルター部に流れる。一方、本体ケースの少なくとも１側面に設けた第１の吸気口から吸い込まれた室内空気は、空気清浄手段に流れ込む。ここで、空気清浄手段の上端部が空気清浄手段の下端部より本体ケース内部方向に入り込むように傾斜しているので、特に空気清浄手段の上部と前面化粧板との間に空間ができ、この空間により第１の吸気口から吸い込まれた室内空気が、空気清浄手段の上部に均一に流れ易くできる。
【００４８】
これらの結果により、加湿清浄空気の風量を多くすることができると共に、加湿能力を向上することができるものである。
【００４９】
従って、家庭用や事務所用などの、加湿機能付空気清浄装置として活用が期待されるものである。
【符号の説明】
【００５０】
１    吸気口
１ａ  第１の吸気口
１ｂ  第２の吸気口
２    排気口
３    本体ケース
４    前面化粧板
５    水タンク
６    駆動手段
７    空気清浄フィルター
８    水槽
９    加湿フィルター部
１０  給水部
１１  加湿フィルター枠部
１２  送風手段
１３  バイパス風路
１４  電動機
１５  ケーシング
１６  モータ
１７  羽根
１８  吸込口
【図１】
0005532711.tif 000002
【図２】
0005532711.tif 000003
【図３】
0005532711.tif 000004
【図４】
0005532711.tif 000005